(57)【特許請求の範囲】
【請求項１】
２つのクリップ片を有し、それらのクリップ片は支軸で回動可能に結合され、それぞれのクリップ片に設けられたリーフ部を開くことが可能で、それらのリーフ部が髪束を両側から圧迫して髪を固定するヘアクリップにおいて、可撓性及び柔軟性を有する材料で形成され、自由に曲げることができて長さ方向に引っ張れば伸びる性質を有する突起基台を有し、該突起基台は、一方のクリップ片に取り付けられてリーフ部の長さ方向に架け渡され、且つ他方のリーフ部と反対の方向に変形可能であり、さらに突起基台には、前記髪束に分け入る方向に突出する複数の突起が設けられていることを特徴とするヘアクリップ。
【請求項２】
突起基台は、一方のリーフ部のほぼ全長に亘って架け渡されている請求項１記載のヘアクリップ。
【請求項３】
２つのリーフ部は、同じ側に凸の弧状をなすように形成されている請求項１又は請求項２記載のヘアクリップ。
【請求項４】
各突起は、その全長の途中部分に突出部を有する請求項１乃至請求項３のいずれか一項記載のヘアクリップ。
【発明の詳細な説明】
【技術分野】
【０００１】
本発明は、主に女性が使用するヘアクリップに関する。
【背景技術】
【０００２】
一方のリーフ部に多数の突起を有するヘアクリップは存在する（例えば、特許文献１参照。）。
【特許文献１】登録実用新案第３００８４１０号公報
【発明の開示】
【発明が解決しようとする課題】
【０００３】
本発明は、髪の量の多少にかかわらず確実に髪に固定することができるヘアクリップを提供することを課題とする。
【０００４】
従来の複数の突起を有するヘアクリップは、板状の突起基台に複数の突起が一体に設けられ、弧状をなす一方のリーフ部に合わせて突起基台を弧状にした状態でリーフ部に固定した構成である。このような構成であるから、ヘアクリップで髪を束ね止めるときに突起基台が変形することはない。突起基台が変形しないので、突起基台と他方のリーフ部に挟まれた髪は突起基台に圧接状態で接触してもストレートの状態のままで方向を変えることがなく、その部分の髪は滑りやすい状態である。
【０００５】
また、突起基台が変形しないので、各突起を柔軟性のある材料で形成したときは突起間に挟まれた髪の量の違いによって突起が曲がることはあるが、突起が髪を積極的に圧迫する構成ではない。したがって、少しの量の髪を束ね止めようとするときや髪の少ない女性が使用するときは突起間に挟まれた髪の量が少なくなるから、髪と突起の接触圧力が非常に小さくなって十分な摩擦力が生じずヘアクリップの脱落の原因となっている。そこで、本発明は髪の量の多少にかかわらず確実に髪に固定することができるヘアクリップを提供しようとするものである。
【課題を解決するための手段】
【０００６】
本発明の請求項１は、２つのクリップ片を有し、それらのクリップ片は支軸で回動可能に結合され、それぞれのクリップ片に設けられたリーフ部を開くことが可能で、それらのリーフ部が髪束を両側から圧迫して髪を固定するヘアクリップにおいて、可撓性及び柔軟性を有する材料で形成され、自由に曲げることができて長さ方向に引っ張れば伸びる性質を有する突起基台を有し、該突起基台は、一方のクリップ片に取り付けられてリーフ部の長さ方向に架け渡され、且つ他方のリーフ部と反対の方向に変形可能であり、さらに突起基台には、前記髪束に分け入る方向に突出する複数の突起が設けられている構成である。
【０００７】
請求項２は、突起基台が、一方のリーフ部のほぼ全長に亘って架け渡されている構成である。
【０００８】
請求項３は、２つのリーフ部が、同じ側に凸の弧状をなすように形成されている構成である。
【０００９】
請求項４は、各突起が、その全長の途中部分に突出部を有する構成である。
【発明の効果】
【００１０】
本発明の請求項１は、可撓性及び柔軟性を有する材料で形成され、自由に曲げることができて長さ方向に引っ張れば伸びる性質を有する突起基台を有し、該突起基台は、一方のクリップ片に取り付けられてリーフ部の長さ方向に架け渡され、且つ他方のリーフ部と反対の方向に変形可能であり、さらに突起基台には、前記髪束に分け入る方向に突出する複数の突起が設けられている。したがって、突起基台が変形し突起の位置が変化することにより髪をしっかり止めることができてクリップの脱落を防止できる。さらに、突起基台が一方のリーフ部の内面を越えてそのリーフ部の外側方向に変形することができれば、その部分の髪もリーフ部の外側方向に曲がってストレートでなくなるから髪が両リーフ部の間をすり抜けづらくなり、ヘアクリップの脱落を効果的に防止できる。
【００１１】
請求項２は、突起基台が、一方のリーフ部のほぼ全長に亘って架け渡されている。したがって、突起基台が最も長い状態で架け渡されているから多くの突起を設けることが可能であり、髪と突起全体の摩擦力が大きくなってヘアクリップの脱落を効果的に防止できる。また、突起基台をさらに容易に変形させることができる。
【００１２】
請求項３は、２つのリーフ部が、同じ側に凸の弧状をなすように形成されている。両リーフ部が弧状で一方のリーフ部の長さ方向に突起基台が架け渡されているから、突起基台は弓に張られた弦の如き状態である。突起基台がこのような状態にあるから、髪を束ね止めたときに突起基台は一方のリーフ部に沿うように弧状に曲がる。突起基台に設けられている各突起が平行の状態であるときは、突起基台が弧状に曲がると共に各突起はそれらの突起間に存在する突起基台と扇形をなすように突起の先端同士がやや近づくのである。そのために、隣接する突起間の距離が狭まりその間の髪は突起により積極的に圧迫されるから、突起間の髪と突起の接触圧力を強くすることができて十分な摩擦力を得ることができる。これにより、ヘアクリップの脱落を確実に防止できる。髪がやや少なめであっても突起間の距離が狭まることにより髪を効果的に束ね止めることができる。突起基台がやや曲がった状態で架け渡されていても同様である。各突起が平行でなくても同様である。
【００１３】
請求項４は、各突起が、その全長の途中部分に突出部を有している。したがって、突出部が髪を圧迫して摩擦力が増すのでヘアクリップの脱落を効果的に防止できる。
【発明を実施するための最良の形態】
【００１４】
次に本発明の実施形態について説明する。ヘアクリップ１は、２つのクリップ片２，３を支軸４で回動可能に結合した構成である。クリップ片２，３はそれぞれ髪を挟んで束ね止める外リーフ部５と内リーフ部６を有する。両リーフ部５，６は同じ側に弧状に曲がっている。内リーフ部６は文字通り外リーフ部５のなす弧の内側に位置する。外リーフ部５は基部７と連結し、内リーフ部６は基部８と連結している。前記支軸４は基部７，８に取り付けられている。基部７，８の間に図５に示すバネ９が介装されていて、そのバネ９の弾性力により通常の状態で両リーフ部５，６は閉じている。基部７，８はそれぞれ押え片１０，１１を有し、その押え片１０，１１を指で押えることによって両リーフ部５，６を開くことができる。押え片１０，１１の表面に指宛て用の凹みが設けられている。
【００１５】
図２に示すように、外リーフ部５はワイヤーを細長いＵ字形に曲げることにより形成されている。したがって、外リーフ部５はそのワイヤーで囲まれた空間部２０を有する。この空間部２０は外リーフ部５の内面から外面まで貫通する孔であるが、本発明は空間部２０を孔により設ける構造に限定されるものではない。例えば、外リーフ部５を板で形成し、その板の内面に凹部を形成することによりその凹部内が空間部となる。
【００１６】
外リーフ部５を構成するワイヤーの２つの基端部を基部７が保持している。外リーフ部５は複数の突起１２を含んでいる。図４に示すように、突起１２は櫛状部材１３に設けられており、この櫛状部材１３は細長く延びる突起基台１４に複数の突起１２が一体に設けられた構成である。突起１２は突起基台１４に対して垂直に突出しているので、各突起１２は平行をなしているが、これに限定されるものではない。すなわち、突起１２が突起基台１４に対して垂直に突出しなくてもよく、各突起１２が平行でなくてもよい。突起１２はすべて同じ高さであるが本発明はこれに限定されるものでない。例えば、両端の突起の高さを最も高く形成し、中央に行くに従って徐々に高さが低くなる構成であってもよい。櫛状部材１３は可撓性及び又は柔軟性のある材料で形成されている。したがって、自由に曲げることができて長さ方向に引っ張れば伸びる性質を有する。材料として例えばエラストマー樹脂やシリコーン樹脂が使用されるが他の材料であってもよい。突起１２の高さは約４ｍｍであるがこれに限定されず、２〜１０ｍｍであることが好ましい。また、突起１２の直径は１．５ｍｍであるがこれに限定されず、０．５〜４ｍｍであることが好ましい。突起１２の形状は円柱状であるがそれ以外の形状であってもよい。突起基台１４の長さは約１００ｍｍであるがこれに限定されず、３０〜２００ｍｍであることが好ましい。突起基台１４の幅は約３ｍｍであるがこれに限定されず、２〜１０ｍｍであることが好ましい。突起基台１４の厚みは約１．５ｍｍであるがこれに限定されず、０．５〜５ｍｍであることが好ましい。また、外リーフ部５及び内リーフ部６のいずれか一方が弧状をなさなくてもよく、両リーフ部５，６が共に弧状をなさなくてもよい。
【００１７】
櫛状部材１３の一方の端部には掛け止め部１５が一体に設けられ、他方の端部にはフック１６が一体に設けられている。図２に示すように、基部７に瓢箪形の掛け孔１７が設けられており、この掛け孔１７に櫛状部材１３の掛け止め部１５を掛ける。また、外リーフ部５の先端に凹部１８が形成されており、フック１６をこの凹部１８に掛ける。これにより櫛状部材１３は外リーフ部５のほぼ全長に亘るようにクリップ片２に取り付けられる。櫛状部材１３の取付け構造はこのようなものであるから着脱自在である。図５に示すように、両リーフ部５，６を閉じたときに、内リーフ部６の端部２３がフック１６の周囲を囲ってフック１６が外れないようにしている。さらに、内リーフ部６の端部２３がフック１６を押圧してフック１６が外れないようにしてもよい。また、櫛状部材１３を着脱不能に設けてもよい。櫛状部材１３は外リーフ部５よりも短いものであっても差し支えないことは勿論である。この場合、櫛状部材１３は外リーフ部５の両端部よりも中心寄りの位置に弓の弦のように架け渡される。図４に示すように、櫛状部材１３は直線状に形成されているが、あらかじめ下方に曲がった状態になるように形成してもよく、上方に曲がった状態に形成してもよい。突起１２はその根元から端部までの全長の途中に突出部１９が設けられている。突出部１９は突起１２の全周に亘ってフランジ状に設けられているがこれに限定されるものでなく、１又は２以上の突起を突出させるものでもよい。突起が複数のときは異なる方向に突出することが好ましい。突出部１９を設けることにより髪との摩擦力が増加してヘアクリップ１の脱落を効果的に防止できる。櫛状部材１３は、それと材質、物性又は形状の異なるものを交換可能に用意することによって、種々の目的に沿って使い分けるようにしてもよい。例えば、突起１２の密度が異なるものを用意してもよい。
【００１８】
内リーフ部６も外リーフ部５と同様にワイヤーを細長いＵ字形に曲げることにより形成されている。したがって、内リーフ部６はそのワイヤーで囲まれた空間部２１を有する。図３に示すように、内リーフ部６はそれが取り付けられている基部８に近接する部分を除きほぼ全長に亘って外リーフ部５よりも幅が狭く形成されている。内リーフ部６の幅は、外リーフ部５の空間部２０の幅よりも狭い。また、図６に示すように、内リーフ部６の弧状をなす半径は外リーフ部５の弧状をなす半径よりも小さい。したがって、図１に示すように、両リーフ部５，６を閉じたときに内リーフ部６の中央付近の部分が外リーフ部５の空間部２０に入り込む。内リーフ部６の端部２３は外リーフ部５の端部２２よりも先に突き出ているので、両リーフ部５，６を閉じたときに内リーフ部６の端部２３付近の部分が外リーフ部５の端部２２に当たる。これにより、両リーフ部５，６を閉じるときに内リーフ部６の全体が外リーフ部５の空間部２０を通過してしまうことがなく、両リーフ部５，６をほぼ重なった状態で閉じることができる。また、図２に示すように、外リーフ部５の端部に凹部１８を形成することにより、その両隣りにＵ字形屈曲部２４，２４が形成される。両リーフ部５，６を閉じたときに内リーフ部６のワイヤー部分の一部がこのＵ字形屈曲部２４，２４にはまり、内リーフ部６は外リーフ部５に対して左右に振れることがない。
【００１９】
また、櫛状部材１３の幅は内リーフ部６の空間部２１の幅より狭い。したがって、図１に示すように両リーフ部５，６を閉じたときに櫛状部材１３のほぼ全体が空間部２１を通過して内リーフ部６のなす弧の中に現われる。比較的少ない髪を両リーフ部５，６で挟んだときに、内リーフ部６は髪を外リーフ部５の空間部２０に押し込むように作用する。髪は櫛状部材１３の突起基台１４から弾性的反力を受けるが、櫛状部材１３は可撓性又は柔軟性を有するのでバネ９の弾性力によって髪と共に外リーフ部５の空間部２０に押し込められる。この結果、空間部２０に押し込まれた髪はその空間部２０内で外リーフ部５の外側方向に曲がってストレートではなくなり、さらに櫛状部材１３から受ける弾性力によって髪が両リーフ部５，６の間をすり抜けづらくなり、ヘアクリップの脱落を効果的に防止できる。
【００２０】
前述したように両リーフ部５，６は同じ側に凸の弧状をなすように形成されている。両リーフ部５，６が弧状で外リーフ部５の長さ方向に突起基台１４が架け渡されているから、突起基台１４は弓に張られた弦の如き状態である。突起基台１４がこのような状態にあるから、髪を束ね止めたときに突起基台１４は外リーフ部５に沿うように弧状に曲がる。突起基台１４に設けられている各突起１２が平行の状態であるときは、突起基台１４が弧状に曲がると共に各突起１２はそれらの突起１２，１２間に存在する突起基台１４と扇形をなすように突起１２，１２の先端同士がやや近づくのである。そのために、隣接する突起１２，１２間の距離が狭まりその間の髪は突起１２，１２により積極的に圧迫されるから、突起１２，１２間の髪がやや少なめであっても髪と突起１２の接触圧力を強くすることができて十分な摩擦力を得ることができる。これにより、ヘアクリップの脱落を確実に防止できる。突起基台１４がやや曲がった状態で架け渡されていても同様である。各突起１２が平行でなくても同様である。
【００２１】
次に本発明の使用方法について説明する。図６に示すように、髪を束ね止めようとする前に両リーフ部５，６を開く。次いで、内リーフ部６と櫛状部材１３の間に髪を挟んで両リーフ部５，６を閉じる。このとき、両リーフ部５，６を閉じると共に髪は支軸４に近い突起から順に挟まれる。この作業により髪を束ね止めることができる。
【図面の簡単な説明】
【００２２】
【図１】本発明の正面図
【図２】本発明を外側から見た図
【図３】本発明を内側から見た図
【図４】櫛状部材の正面図
【図５】本発明を内側から見た斜視図
【図６】両リーフ部を開いた状態の正面図
【符号の説明】
【００２３】
１  ヘアクリップ
２  クリップ片
３  クリップ片
４  支軸
５  外リーフ部
６  内リーフ部
７  基部
８  基部
９  バネ
１０  押え片
１１  押え片
１２  突起
１３  櫛状部材
１４  突起基台
１５  掛け止め部
１６  フック
１７  掛け孔
１８  凹部
１９  突出部
２０  外リーフ部の空間部
２１  内リーフ部の空間部
２２  外リーフ部の端部
２３  内リーフ部の端部
２４  Ｕ字形屈曲部
【図１】
0005214269.tif 000002
【図２】
0005214269.tif 000003
【図３】
0005214269.tif 000004
【図４】
0005214269.tif 000005
【図５】
0005214269.tif 000006
【図６】
0005214269.tif 000007